【手続補正書】
【提出日】平成19年4月24日(2007.4.24)
【手続補正１】
【補正対象書類名】明細書
【補正対象項目名】特許請求の範囲
【補正方法】変更
【補正の内容】
【特許請求の範囲】
【請求項１】  （a）25〜45重量％の真珠光沢剤ロウ類
（b）25〜40重量％の非イオン性乳化剤、両性乳化剤、双性乳化剤および／またはカチオン性乳化剤、および
（c）0.5〜15重量％のポリオールエステル
を含有し、
100重量％までの量の水を含み、所望により、他の助剤または添加剤を含み、
成分（a）、成分（b）および成分（c）の合計量は、少なくとも55重量％である
ことを特徴とする流動性の高濃度真珠光沢剤濃縮物。
【請求項２】  成分（a）は、アルキレングリコールエステル、脂肪酸アルカノールアミド、部分グリセリド、ヒドロキシ置換されていてよい多塩基性カルボン酸のエステル、脂肪アルコール、脂肪酸、脂肪ケトン、脂肪アルデヒド、脂肪エーテル、脂肪カーボネート、オレフィンエポキシドの開環生成物およびそれらの混合物からなる群から選ばれる真珠光沢剤ロウ類である請求項1記載の濃縮物。
【請求項３】  成分（b）は、
次の物質の酸化エチレン2〜30モル付加物および／または酸化プロピレン0〜5モル付加物：C８〜C22直鎖脂肪アルコール、C12〜C22脂肪酸、炭素数8〜15のアルキル基を有するアルキルフェノールおよび炭素数8〜22のアルキル基を有するアルキルアミン、
炭素数8〜22のアルキル基を有する、アルキルモノグリコシドまたはアルキルオリゴグリコシドおよびそれらのエトキシル化同族体、
ヒマシ油または水添ヒマシ油の酸化エチレン1〜15モルまたは15〜60モル付加物、
モノ、ジまたはトリアルキルホスフェート、モノ、ジおよび／またはトリ-PEG-アルキルホスフェートおよびそれらの塩、
羊毛ロウアルコール、
ポリシロキサン／ポリアルキルポリエーテルコポリマーおよび対応する誘導体、並びに
ポリアルキレングリコールおよびグリセロールカーボネート
からなる群から選ばれる非イオン性界面活性剤である請求項1または2記載の濃縮物。
【請求項４】  成分（c）は、ココアミドプロピルベタインおよび／またはエステルクォートである請求項1〜3のいずれかに記載の濃縮物。
【請求項５】  成分（c）は、
グリセロールおよび／またはソルビタンと、飽和および／または不飽和で直鎖または分岐鎖のC12〜C22脂肪酸および／またはC３〜C18ヒドロキシカルボン酸ボンとの部分エステルおよびそれらの酸化エチレン1〜30モル付加物、
ポリグリセロール、ポリエチレングリコール、トリメチロールプロパン、ペンタエリトリトール、アルキルグルコシドおよびポリグルコシドと、飽和および／または不飽和で直鎖または分岐鎖のC12〜C22脂肪酸および／またはC３〜C18ヒドロキシカルボン酸ボンとの部分エステルおよびそれらの酸化エチレン1〜30モル付加物、
ペンタエリトリトール、脂肪酸、クエン酸および脂肪アルコールのエステル混合物および／またはC６〜C22脂肪酸、メチルグルコースおよびポリオールのエステル混合物、およびそれらの混合物
からなる群から選ばれるポリオールエステルである請求項1〜4のいずれかに記載の濃縮物。
【請求項６】  当該濃縮物は、任意成分（d）として、ポリオールを含有する請求項1〜5のいずれかに記載の濃縮物。
【請求項７】  上記ポリオールは、グリセロールおよび／またはエチレングリコールである請求項6記載の濃縮物。
【請求項８】  ポリオールの含有量は、当該濃縮物を基準に、0.1〜15重量％である請求項5または6記載の濃縮物。
【請求項９】  請求項1記載の濃縮物を製造する方法であって、
成分（a）、成分（b）、成分（c）および所望により成分（d）からなる混合物を、形成し、当該混合物の融点を1〜30℃超える温度に加熱し、ほぼ同じ温度で所要量の水と混合し、次いで、室温に冷却する
ことを特徴とする方法。
【請求項１０】  前記ポリオールエステルについての、
少なくとも55重量％の活性物質含有量を有する真珠光沢剤濃縮物を製造する際の粘度調節剤としての使用。
【手続補正２】
【補正対象書類名】明細書
【補正対象項目名】０００２
【補正方法】変更
【補正の内容】
【０００２】
（従来の技術）
数世紀にわたり、真珠は、その柔らかくきらめく光沢を有するため、人々にとって非常に魅力的である。化粧品の生産者は、化粧品が魅力的で高価で豪華な外観を有するように努めてきたことは、言うまでもない。天然のパールエッセンスは、中世に初めて化粧品に使用され、この化粧品は、魚鱗箔の真珠光沢剤ペーストである。今世紀の始めに、パールエッセンスを製造しうるオキシ塩化ビスマスが開発された。別の態様として、脂肪酸グリコールモノエステルや脂肪酸ジエステル系の真珠光沢剤ロウ類があり、これらロウ類は、現代の化粧品にとって重要な原料であって、主としてヘアシャンプーやシャワーゲル用のパールエッセンスの製造原料として採用されている。現代の真珠光沢剤組成物に関し、文献を参照されたし〔A. Ansmann and R. Kawa, Parf. Kosm., 578（1994）〕。
【手続補正３】
【補正対象書類名】明細書
【補正対象項目名】０００４
【補正方法】変更
【補正の内容】
【０００４】
（発明が解決しようとする課題）
以上、従来から多数の組成物が存在するにも拘らず、当該分野では、活性物質の含有量が著しく高いにも拘らず流動性を示す真珠光沢剤濃縮物であって、当該濃縮物の安定性を損なわずにシリコーンなどの重要な成分を使用できかつ最終組成物に対しプラスの作用を示すような真珠光沢剤濃縮物が、必要である。したがって、本発明が解決しようとする課題は、これらの複雑な要件を満足する新規な真珠光沢剤濃縮物を提供することである。
【手続補正４】
【補正対象書類名】明細書
【補正対象項目名】０００５
【補正方法】変更
【補正の内容】
【０００５】
（発明の開示）
本発明は、
（a）25〜45重量％（好適には、30〜45重量％）の真珠光沢剤ロウ類
（b）25〜40重量％（好適には、30〜35重量％）の非イオン性乳化剤、両性乳化剤、双性乳化剤および／またはカチオン性乳化剤、および
（c）0.5〜15重量％（1〜10重量％）のポリオールエステル
を含有し、
100重量％までの量の水を含み、所望により、他の助剤または添加剤を含み、
成分（a）、成分（b）および成分（c）の合計量は、少なくとも55重量％（好適には、少なくとも60重量％、より好適には65〜70重量％）である
ことを特徴とする流動性の高濃度真珠光沢剤濃縮物を提供する。
【手続補正５】
【補正対象書類名】明細書
【補正対象項目名】００１０
【補正方法】変更
【補正の内容】
【００１０】
部分グリセリド
真珠光沢特性を有し、成分（a3）を構成する部分グリセリドは、グリセロールと、直鎖飽和脂肪酸であるカプロン酸、カプリル酸、カプリン酸、ラウリン酸、ミリスチン酸、パルミチン酸、パルミトレイン酸、ステアリン酸、ベヘン酸およびそれらの工業的混合物とのモノエステルおよび／またはジエステルである。部分グリセリドは、式（V）：
【化１】
2002544325.tif 000001
〔式中、
R9COは、6〜22個の炭素原子を有する直鎖飽和アシル基であり；
R10およびR11は、相互に独立して、水素であるか、またはR9COと同意義であり；
x、yおよびzは合わせて、0または1〜30の数を表し；
Xは、アルカリ金属またはアルカリ土類金属であり；
但し、2個の基R10およびR11の少なくとも１つは、水素である。〕
で示される。代表例は、次のとおりである：ラウリン酸モノグリセリド、ラウリン酸ジグリセリド、ヤシ油脂肪酸モノグリセリド、ヤシ油脂肪酸トリグリセリド、パルミチン酸モノグリセリド、パルミチン酸トリグリセリド、ステアリン酸モノグリセリド、ステアリン酸ジグリセリド、獣脂脂肪酸モノグリセリド、獣脂脂肪酸ジグリセリド、ベヘン酸モノグリセリド、ベヘン酸ジグリセリド、およびそれらの工業的混合物（これらは、製造工程からの少量のトリグリセリドをさらに含有することがある。）。
【手続補正６】
【補正対象書類名】明細書
【補正対象項目名】００１３
【補正方法】変更
【補正の内容】
【００１３】
脂肪ケトン
成分（a6）として好適な脂肪ケトンは、好ましくは、式（VII）：
R13-CO-R14          （VII）
〔式中、R13およびR14は、相互に独立して、1〜22個の炭素原子を有するアルキルおよび／またはアルケニル基を表す。但し、R13およびR14は、合計で少なくとも24個、好ましくは32〜48個の炭素原子を有することができる。〕
で示される。ケトンは、既知の方法、例えば、対応する脂肪酸マグネシウム塩の熱分解によって、製造することができる。ケトンは、対称または非対称であることができるが、2つの置換基R13およびR14は、好ましくは、1つだけの炭素原子によって相互に異なり、16〜22個の炭素原子を有する脂肪酸から誘導される。ステアロンは、特に有利な真珠光沢特性を特徴とする。
【手続補正７】
【補正対象書類名】明細書
【補正対象項目名】００１５
【補正方法】変更
【補正の内容】
【００１５】
脂肪エーテル
他の好適な真珠光沢剤ロウ類（a8）は、式（IX）：
R16-O-R17          （IX）
〔式中、R16およびR17は、相互に独立して、1〜22個の炭素原子を有するアルキルおよび／またはアルケニル基を表し、但し、R16およびR17は、合計で少なくとも24個、好ましくは32〜48個の炭素原子を有することができる。〕
で示される脂肪エーテルである。上記種類の脂肪エーテルは通常、対応する脂肪アルコールの酸性縮合によって製造される。特に有利な真珠光沢特性を有する脂肪エーテルは、16〜22個の炭素原子を有する脂肪アルコール、例えば、セチルアルコール、セテアリルアルコール、ステアリルアルコール、イソステアリルアルコール、オレイルアルコール、ベヘニルアルコールおよび／またはエルシルアルコールの縮合によって得られる。
【手続補正８】
【補正対象書類名】明細書
【補正対象項目名】００１９
【補正方法】変更
【補正の内容】
【００１９】
酸化エチレンおよび／または酸化プロピレン付加物
脂肪アルコール、脂肪酸、アルキルフェノールまたはヒマシ油への酸化エチレンおよび／または酸化プロピレン付加物は、既知であり、商業的に入手可能である。これら付加物は、同族体の混合物であり、それらの平均アルコキシル化度は、付加反応を実施する際の（酸化エチレンおよび／または酸化プロピレン）／（基質）の比率に対応する。グリセロールの酸化エチレン付加物のC12／18脂肪酸モノエステルおよびジエステルは、化粧品用の再加脂剤剤として既知である（ドイツ特許出願DE 20 24 051）。C8／18アルキルモノ-およびオリゴグリコシド、それらの製造およびそれらの使用は、先行文献から既知である。それらは、特に、グルコースまたは少糖類を、一級C8〜18アルコールと反応させることによって製造される。グリコシド単位に関する限り、グリコシド結合によって環状糖単位が脂肪アルコールに結合しているモノグリコシド、および好ましくは約8までのオリゴマー化度を有するオリゴマーグリコシドの両方が好適である。オリゴマー化度は統計的平均値であり、そのような工業生成物に一般的な同族体分布はかかる平均値に基づく。
【手続補正９】
【補正対象書類名】明細書
【補正対象項目名】００２９
【補正方法】変更
【補正の内容】
【００２９】
製造方法
本発明の別の要旨によれば、本発明は、本発明の濃縮物を製造する方法であって、
成分（a）、成分（b）、成分（c）および所望により成分（d）からなる混合物を、形成し、当該混合物の融点を1〜30℃超える温度に加熱し、ほぼ同じ温度で所要量の水と混合し、次いで、室温に冷却する
ことを特徴とする方法を提供する。別法として、まず、濃縮水性（アニオン性）界面活性剤ペーストを導入し、真珠光沢剤ロウ類を加熱しながら攪拌しつつ添加し、次に、その混合物を追加の水で稀釈して所要の濃度にするか、または混合工程を、親水性のポリマー増粘剤、例えば、ヒドロキシプロピルセルロース、キサンタンガムまたはカルボマー（Carbomer）型のポリマーの存在下に行う。
【手続補正１０】
【補正対象書類名】明細書
【補正対象項目名】００３１
【補正方法】変更
【補正の内容】
【００３１】
化粧品および／または医薬品
本発明の真珠光沢剤濃縮物は、化粧品および／または医薬品、例えば、ヘアシャンプー、ヘアローション、バブルバス、シャワーバス、クリーム、ジェル、ローション、アルコールおよび水性／アルコール溶液、乳液、ワックス／脂肪コンパウンド、スチック製剤、パウダーまたは軟膏剤の製造に使用することができる。これらの組成物は、緩やかな界面活性剤、油成分、乳化剤、過脂剤（superfatting agents）、コンシステンシー調整剤、増粘剤、ポリマー、シリコーン化合物、脂肪、ロウ類、安定剤、成長促進剤、消臭剤、制汗剤、フケ抑制剤、皮膜形成剤、膨潤剤、紫外線保護剤、酸化防止剤、ハイドロトロープ、防腐剤、防虫剤、セルフタンニング剤（Selbstbraeuner, self-tanning agent）、可溶化剤、香油、染料等を追加補助剤および添加剤として含有することができる。
【手続補正１１】
【補正対象書類名】明細書
【補正対象項目名】００３３
【補正方法】変更
【補正の内容】
【００３３】
油成分
好適な油成分は、例えばC6〜C18（好適にはC8〜C10）の脂肪アルコールをベースとするゲルベアルコール、直鎖C6-22脂肪酸と直鎖C6-22脂肪アルコールとのエステル、分枝鎖C6-13カルボン酸と直鎖C6-22脂肪アルコールとのエステル、例えば、ミリスチルミリステート、ミリスチルパルミテート、ミリスチルステアレート、ミリスチルイソステアレート、ミリスチルオレエート、ミリスチルベヘネート、ミリスチルエルケート、セチルミリステート、メチルパルミテート、セチルステアレート、セチルイソステアレート、セチルオレエート、セチルベヘネート、セチルエルケート、ステアリルミリステート、ステアリルパルミテート、ステアリルステアレート、ステアリルイソステアレート、ステアリルオレエート、ステアリルベヘネート、ステアリルエルケート、イソステアリルミリステート、イソステアリルパルミテート、イソステアリルステアレート、イソステアリルイソステアレート、イソステアリルオレエート、イソステアリルベヘネート、イソステアリルオレエート、オレイルミリステート、オレイルパルミテート、オレイルステアレート、オレイルイソステアレート、オレイルオレエート、オレイルベヘネート、オレイルエルケート、ベヘニルミリステート、ヘベニルパルミテート、ベヘニルステアレート、ベヘニルイソステアレート、ベヘニルオレエート、ベヘニルベヘネート、ベヘニルエルケート、エルシルミリステート、エルシルパルミテート、エルシルステアレート、エルシルイソステアレート、エルシルオレエート、エルシルベヘネートおよびエルシルエルケートである。また、直鎖C6〜22脂肪酸と、分岐鎖アルコール、特に2-エチルヘキサノールとのエステル、ヒドロキシカルボン酸と直鎖または分岐鎖C6〜22脂肪アルコールとのエステル、特にジオクチルマレエート、直鎖および／または分岐鎖脂肪酸と多価アルコール（例えば、プロピレングリコール、二量体ジオールまたは三量体トリオール）および／またはゲルベアルコールとのエステル、C6〜10脂肪酸をベースとするトリグリセリド、C6〜18脂肪酸をベースとする液体モノ-／ジ-／トリグリセリド混合物、C6〜22脂肪アルコールおよび／またはゲルベアルコールと芳香族カルボン酸、特に安息香酸とのエステル、C2〜12ジカルボン酸と、1〜22個の炭素原子を有する直鎖または分岐鎖アルコール、または2〜10個の炭素原子および2〜6個のヒドロキシル基を有するポリオールとのエステル、植物油、分岐鎖一級アルコール、置換シクロヘキサン、直鎖および分岐鎖C6〜22脂肪アルコールカーボネート、ゲルベカーボネート、安息香酸と、直鎖および／または分岐鎖C6〜22アルコールとのエステル（例えば、Finsolv（登録商標）TN）、1つのアルキル基につき6〜22個の炭素原子を有する直鎖または分岐鎖、対称または非対称ジアルキルエーテル、エポキシ化脂肪酸エステルとポリオールとの開環反応生成物、シリコーン油および／または脂肪族またはナフテン系炭化水素、例えば、スクアラン、スクアレンまたはジアルキルシクロヘキサンも好適である。
【手続補正１２】
【補正対象書類名】明細書
【補正対象項目名】００４２
【補正方法】変更
【補正の内容】
【００４２】
生物起源剤
本発明に関して、生物起源剤は、例えば、トコフェロール、トコフェロールアセテート、トコフェロールパルミテート、アスコルビン酸、デオキシリボ核酸、レチノール、ビサボロール、アラントイン、フィタントリオール、パンテノール、AHA酸、アミノ酸、セラミド、プセウドセラミド、精油、植物抽出物およびビタミン複合体である。
【手続補正１３】
【補正対象書類名】明細書
【補正対象項目名】００４８
【補正方法】変更
【補正の内容】
【００４８】
制汗剤
制汗剤は、エクリン汗腺の活性に影響を与えることによって、発汗を減少させて、腋の下の湿りおよび体臭を抑制することができる。水性または無水形態の制汗剤組成物は、一般に下記の成分を含有する：
（a）  収れん活性成分、
（b）  油成分、
（c）  非イオン性乳化剤、
（d）  補助乳化剤、
（e）  コンシステンシー調整剤、
（f）  例えば増粘剤または錯生成剤の形態の助剤、および／または
（g）  非水性溶剤、例えば、エタノール、プロピレングリコールおよび／またはグリセロール。
【手続補正１４】
【補正対象書類名】明細書
【補正対象項目名】００４９
【補正方法】変更
【補正の内容】
【００４９】
収れん剤
制汗剤中の好適な収れん活性成分は、特に、アルミニウム、ジルコニウムまたは亜鉛の塩である。このタイプの好適なアンチハイドロチック（antihydrotic）剤は、例えば、アルミニウムクロリド、アルミニウムクロロハイドレート、アルミニウムジクロロハイドレート、アルミニウムセスキクロロハイドレートおよびその錯体化合物（例えば、アルミニウムセスキクロロハイドレートの1,2-プロピレングリコールとの錯体化合物）、アルミニウムヒドロキシアラントイネート、アルミニウムクロリドタートレート、アルミニウムジルコニウムトリクロロハイドレート、アルミニウムジルコニウムテトラクロロハイドレート、アルミニウムジルコニウムペンタクロロハイドレートおよびそれらの錯体化合物（例えばグリシンのようなアミノ酸とそれらとの錯化合物）である。制汗剤に一般に使用される油溶性および水溶性助剤も、比較的少量で存在することができる。このような油溶性助剤には、例えば、
・  炎症を阻害し、皮膚を保護し、または心地よい香りを有する精油、
・  合成皮膚保護剤、および／または
・  油溶性香油
が包含される。